(57)【特許請求の範囲】
【請求項１】
人工物管理サーバの制御下で少なくとも１つのリポジトリの中の人工物を管理するための人工物管理方法であって、
前記少なくとも１つのリポジトリが、通信リンクを介して前記人工物管理サーバに結合され、
ａ．前記人工物管理サーバにおいてクライアントデバイス（ＣＤ）からトリガが受信されると、前記人工物管理サーバからの命令に従って前記人工物の少なくとも１つのコンテキストをコンテキスト補足デバイス（ＣＣＤ）によって捕捉するステップと、
ｂ．前記人工物管理サーバにより、前記コンテキスト補足デバイスによって捕捉された前記コンテキストを、前記少なくとも１つのリポジトリの中に保持される前記人工物に関連付けるステップとを備えることを特徴とする、方法。
【請求項２】
ｃ．前記人工物に関連付けられた前記少なくとも１つのコンテキストのコンテキストに基づいて、前記少なくとも１つのリポジトリ（ＲＥＰ）の中に保持される人工物を取り出すステップをさらに備えることを特徴とする、請求項１に記載の人工物管理方法。
【請求項３】
前記トリガが、前記少なくとも１つのリポジトリの中で人工物が作成されたこと、または前記少なくとも１つのリポジトリ（ＲＥＰ）の中に保持される前記人工物に対して任意のアクションが実行されたことの指示であることを特徴とする、請求項１に記載の人工物管理方法。
【請求項４】
少なくとも１つのリポジトリ（ＲＥＰ）の中の人工物を管理するための人工物管理サーバ（ＡＭＳＥ）を備える人工物管理システム（ＡＭＳＹ）であって、前記人工物を保持するための前記少なくとも１つのリポジトリをさらに備え、前記少なくとも１つのリポジトリが、通信リンクを介して前記人工物管理サーバに結合され、
ａ．前記人工物管理サーバ（ＡＭＳＥ）においてクライアントデバイス（ＣＤ）からトリガが受信されると、前記人工物管理サーバ（ＡＭＳＥ）からの命令に従って前記少なくとも１つのリポジトリの中に保持される前記人工物の少なくとも１つのコンテキストを捕捉するように構成されたコンテキスト捕捉デバイス（ＣＣＤ）をさらに備えること、および
前記人工物管理サーバ（ＡＭＳＥ）が、前記コンテキスト捕捉デバイス（ＣＣＤ）によって捕捉された前記少なくとも１つのコンテキストの、前記少なくとも１つのリポジトリの中に保持される前記人工物に対する関連付けを生成するようにさらに構成されることを特徴とする、人工物管理システム（ＡＭＳＹ）。
【請求項５】
前記コンテキスト捕捉デバイス（ＣＣＤ）によって捕捉された前記少なくとも１つのコンテキストの、前記少なくとも１つのリポジトリの中に保持される前記人工物に対する前記関連付けを保持するように構成されたコンテキストリポジトリ（ＣＲＥＰ）をさらに備えることを特徴とする、請求項４に記載の人工物管理システム（ＡＭＳＹ）。
【請求項６】
人工物管理サーバ（ＡＭＳ）が、前記コンテキスト捕捉デバイス（ＣＣＤ）によって捕捉された前記少なくとも１つのコンテキストの、前記少なくとも１つのリポジトリの中に保持される前記人工物に対する関連付けを生成するように構成されたコンテキスト関連付け部（ＣＡＰ）を備えることを特徴とする、請求項４に記載の人工物管理システム（ＡＭＳＹ）において使用するための人工物管理サーバ（ＡＭＳ）。
【請求項７】
前記人工物管理サーバ（ＡＭＳ）においてトリガが受信されると、前記少なくとも１つのリポジトリの中に保持される前記人工物の少なくとも１つのコンテキストを捕捉するようコンテキスト捕捉デバイスに命令するように構成されたコンテキスト捕捉命令部（ＣＣＩＰ）をさらに備えることを特徴とする、請求項６に記載の人工物管理サーバ（ＡＭＳ）。
【請求項８】
前記コンテキスト関連付け部（ＣＡＰ）が、コンテキストリポジトリ（Ｃ−ＲＥＰ）の中で生成された前記関連付けを格納するようにさらに構成されることを特徴とする、請求項６または７に記載の人工物管理サーバ（ＡＭＳ）。
【請求項９】
前記コンテキスト関連付け部（ＣＡＰ）が、前記コンテキスト捕捉デバイス（ＣＣＤ）によって捕捉された前記少なくとも１つのコンテキストの、前記少なくとも１つのリポジトリの中に保持される前記人工物に対する前記関連付けの中の前記少なくとも１つのコンテキストのコンテキストに基づいて、前記少なくとも１つのリポジトリ（ＲＥＰ）によって保持される人工物を取り出すようにさらに構成されることを特徴とする、請求項６または８に記載の人工物管理サーバ（ＡＭＳ）。
【請求項１０】
前記人工物管理サーバ（ＡＭＳ）においてトリガが受信されると、前記少なくとも１つのリポジトリ（Ｃ−ＲＥＰ）の中に保持される前記人工物の少なくとも１つのコンテキストを捕捉するように構成されるコンテキスト捕捉部（ＣＣＰ）を備えることを特徴とする、請求項４に記載の人工物管理システム（ＡＭＳＹ）において使用するためのコンテキスト捕捉デバイス（ＣＣＤ）。
【請求項１１】
コンテキスト転送部（ＣＦＰ）をさらに備えることを特徴とする、請求項１０に記載のコンテキスト捕捉デバイス（ＣＣＤ）。
【請求項１２】
前記コンテキスト捕捉デバイス（ＣＣＤ）によって捕捉された前記少なくとも１つのコンテキストの、前記少なくとも１つのリポジトリの中に保持される前記人工物に対する関連付けを保持するように構成されることを特徴とする、請求項４に記載の人工物管理システム（ＡＭＳＹ）において使用するためのコンテキストリポジトリ（Ｃ−ＲＥＰ）。
【発明の詳細な説明】
【技術分野】
【０００１】
本発明は、人工物管理サーバの制御下で少なくとも１つの人工物リポジトリの中の人工物を管理するための人工物管理方法に関する。
【背景技術】
【０００２】
そのような人工物の例には、写真、音楽、映画、オフィス文書のようなファイルだけでなく、人物のプロファイル、電子メール、ブログ、ならびにメディアストリームもしくはビデオチャネルおよびオーディオチャネル、またはインターネット上の任意のアドレス指定可能なオブジェクトのようなコンテンツ資産もある。
【０００３】
そのような人工物管理サーバ、および関連する人工物管理方法は、例えば、ＹｏｕＴｕｂｅやＦｌｉｃｋｒなどのユーザ作成コンテンツの管理システムにより知られており、ＹｏｕＴｕｂｅとＦｌｉｃｋｒはともに、人工物管理サーバと、人工物レポジトリ、または別のユーザ作成コンテンツ管理システムの一部であることも、そうでないことも可能な１つまたは複数の人工物リポジトリに結合された、人工物管理サーバの外部に存在する、ＷＯＭと以降、呼ばれるメナジュリウェブオブジェクトマネージャ（Ｍｅｎａｇｅｒｉｅ  Ｗｅｂ  Ｏｂｊｅｃｔ  Ｍａｎａｇｅｒ）などの集約コンテンツ管理システムとを含む。ＷＯＭと以降、呼ばれるメナジュリウェブオブジェクトマネージャは、ユーザが、Ｆｌｉｃｋｒ、ＹｏｕＴｕｂｅ、およびＧｏｏｇｌｅ  Ｄｏｃｓなどのウェブサービス上に格納された写真、映画、およびオフィス文書などの配信されるユーザのウェブオブジェクトを編成し、共有することを許す複合ウェブアプリケーションである。ＷＯＭを使用して、ユーザは、新規の仮想フォルダを作成し、それらのフォルダを、配信されるウェブオブジェクトのコレクションでポピュレートし、さらにそれらのフォルダを他のユーザまたはサービスと共有することができ、以上のことは、Ｒ．Ｇｅａｍｂａｓｕ、Ｃ．Ｃｈｅｕｎｇ、Ａ．Ｍｏｓｈｃｈｕｋ、Ｓ．Ｄ．Ｇｒｉｂｂｌｅ、Ｈ．Ｍ．Ｌｅｖｙによる会議予稿、「Ｏｒｇａｎｉｚｉｎｇ  ａｎｄ  Ｓｈａｒｉｎｇ  Ｄｉｓｔｒｉｂｕｔｅｄ  Ｐｅｒｓｏｎａｌ  Ｗｅｂ−Ｓｅｒｖｉｃｅ  Ｄａｔａ」、Ｐｒｏｃｅｅｄｉｎｇｓ  ｏｆ  ｔｈｅ  １７ｔｈ  ｉｎｔｅｒｎａｔｉｏｎａｌ  ｃｏｎｆｅｒｅｎｃｅ  ｏｎ  Ｗｏｒｌｄ  Ｗｉｄｅ  Ｗｅｂ（中国、北京、２００８年４月２１日−２５日）、７５５−７６４頁に開示されている。
【０００４】
一般に、それは、ストレージシステム上、または仮想ファイルシステム上で直接に、あるいは人工物を格納することができる外部システムのリファレンスを介して間接的に人工物を管理する、人工物のための管理システムと呼ばれ、これらのストレージシステム、仮想ファイルシステム、および外部システムはすべて、本明細書では、人工物リポジトリと呼ばれる。通常、ＵＲＬに符号化されるリファレンスは、（１）公開のＵＲＬ、または（２）Ｇｏｏｇｌｅ  Ｄｏｃｓ、Ｆｌｉｃｋｒ、およびＹｏｕＴｕｂｅなどのウェブアプリケーションＡＰＩの一意に識別された、権限の偽造できないトークン、およびアプリケーションドメイン＋パス、あるいは（３）所与のデバイスの遠隔アクセスＡＰＩの一意に識別された、権限の偽造できないトークン、およびデバイスホスト名（またはＩＰアドレス）＋パスであることが可能である。そのようなウェブアプリケーションまたは遠隔アクセスＡＰＩは、通常、ＨＴＴＰ、ＦＴＰ、ＬＤＡＰ、ＩＭＡＰなどのプロトコルに基づく。権限の偽造できないトークンを含むリファレンスの使用は、資格準拠のセキュリティとして知られ、資格準拠のセキュリティは、Ｒ．Ｓ．Ｆａｂｒｙ、「Ｃａｐａｂｉｌｉｔｙ−ｂａｓｅｄ  ａｄｄｒｅｓｓｉｎｇ」、Ｃｏｍｍｕｎｉｃａｔｉｏｎｓ  ｏｆ  ｔｈｅ  ＡＣＭ、Ｖｏｌｕｍｅ  １７、Ｉｓｓｕｅ  ７（１９７４年７月）、４０３−４１２頁に開示されている。
【０００５】
そのような人工物管理システムのサポートされる機能の１つが、１つまたは複数の人工物リポジトリの中に格納された人工物を再び探し出すことである。そのようなシステムにおいて任意の人工物を再び探し出すのに、（１）ボリューム名および階層フォルダ名を指定すること、または選択することによる従来のファイルシステムの場合のように、ロケーションベースのアプローチを使用することができ、または（２）コンテンツに基づいて検索すること（例えば、Ｇｏｏｇｌｅが行う、全文検索として知られる）ができ、または（３）人工物に埋め込まれて格納された、もしくは管理システムによって人工物に関連付けられたメタデータ、すなわち、テキストキーワードに基づいて検索することができる。
【０００６】
人物のプロファイルは、通常、人物の名前、アドレス、電話番号に基づいて検索され、音楽は、通常、曲名、アルバム名、またはアーティストに基づいて検索され、個人的な写真およびビデオは、通常、それらのファイルに関連付けられた日付またはユーザによって生成されたタグに基づいて検索される。そのような日付またはタグに基づいて検索するアプローチは、例えば、ＦｌｉｃｋｒおよびＹｏｕＴｕｂｅによって明示的にサポートされる。
【０００７】
また、前述した、人工物を探し出す３つの方法は、或る人工物、もしくは人工物のグループを識別して、その人工物、もしくは人工物のグループをコピーする、移動する、削除する、その人工物、もしくは人工物のグループの名前を変更する、共有レベルを設定する、またはレプリカの配置を構成するなどの管理アクションを実行するのにも使用される。メタデータ、とりわけ、ユーザタグの使用は、データを探し出すのによく行われるだけでなく、通常のユーザが、レプリカの配置を構成することなどのファイル管理アクションを実行するのに、より直観的であることも判明している。
【０００８】
しかし、特に個人的なデータに付けられたそのようなタグが利用できる度合い、および公開のタグが個人用に適合する度合いは、所望されるコンテンツを効率的に検索する、または識別するのに必ずしも十分であるとは限らない。このことは、検索するユーザが、そのような情報を忘れていること、または一度も所有していなかったことによる。ユーザは、怠惰であり、後にデータを再び探し出すためにタグを追加する姿勢または時間を有さない。
【先行技術文献】
【非特許文献】
【０００９】
【非特許文献１】Ｒ．Ｇｅａｍｂａｓｕ、Ｃ．Ｃｈｅｕｎｇ、Ａ．Ｍｏｓｈｃｈｕｋ、Ｓ．Ｄ．Ｇｒｉｂｂｌｅ、Ｈ．Ｍ．Ｌｅｖｙ、「Ｏｒｇａｎｉｚｉｎｇ  ａｎｄ  Ｓｈａｒｉｎｇ  Ｄｉｓｔｒｉｂｕｔｅｄ  Ｐｅｒｓｏｎａｌ  Ｗｅｂ−Ｓｅｒｖｉｃｅ  Ｄａｔａ」、Ｐｒｏｃｅｅｄｉｎｇｓ  ｏｆ  ｔｈｅ  １７ｔｈ  ｉｎｔｅｒｎａｔｉｏｎａｌ  ｃｏｎｆｅｒｅｎｃｅ  ｏｎ  Ｗｏｒｌｄ  Ｗｉｄｅ  Ｗｅｂ（中国、北京、２００８年４月２１日−２５日）、７５５−７６４頁
【非特許文献２】Ｒ．Ｓ．Ｆａｂｒｙ、「Ｃａｐａｂｉｌｉｔｙ−ｂａｓｅｄ  ａｄｄｒｅｓｓｉｎｇ」、Ｃｏｍｍｕｎｉｃａｔｉｏｎｓ  ｏｆ  ｔｈｅ  ＡＣＭ、Ｖｏｌｕｍｅ  １７、Ｉｓｓｕｅ  ７（１９７４年７月）、４０３−４１２頁
【発明の概要】
【発明が解決しようとする課題】
【００１０】
本発明の目的は、前述した知られているタイプの人工物管理システムまたは人工物管理方法を提供することであり、ただし、そのようなシステムにおいて保持される人工物の検索可能性および識別が向上させられる。
【課題を解決するための手段】
【００１１】
本発明によれば、この目的は、請求項１に記載の方法、請求項４に記載のシステム、請求項６に記載の人工物管理サーバ、請求項１０に記載のコンテキスト捕捉デバイス、および請求項１２に記載のコンテキストリポジトリによって実現される。
【００１２】
実際、人工物管理サーバの制御下にあるコンテキスト捕捉デバイスを用いて、人工物の少なくとも１つのコンテキストを捕捉するトリガが、人工物管理サーバにおいて受信されること、および次に、その捕捉された少なくとも１つのコンテキストを、少なくとも１つのリポジトリの中に保持される人工物に関連付けることにより、このコンテキストが、システムによる人工物の検索可能性および識別を向上させるために適用されることが可能である。
【００１３】
人工物の、その少なくとも１つのコンテキストは、人工物自体のコンテキストに関する情報を含むことが可能であるが、代替として、またはさらに、そのトリガを呼び出したシステムのユーザのコンテキストに関する情報を含むことも可能である。
【００１４】
人工物のコンテキストに関する情報、および、またはユーザに関する情報は、その少なくとも１つのコンテキスト（テキストデータもしくはバイナリデータ、あるいはデジタル化されたオブジェクトに対するリファレンスである）の任意のデジタル表現であることが可能である。
【００１５】
人工物のコンテキスト、および／または管理システム上でトリガを呼び出した主体のコンテキストのスナップショットをまず捕捉し、次に、この検知され、捕捉されたコンテキストを、その人工物に関連付けることにより、このコンテキスト（情報）は、例えば、このコンテキストを、人工物を検索するためのキーワードとして使用することによって、目的とされる人工物、もしくは人工物のグループを検索するため、または識別するために、その人工物に関連付けられた、この捕捉されたコンテキストを適用することによって、その関連付けられた人工物の検索可能性および識別を向上させるために適用されることが可能である。
【００１６】
そのような人工物管理システムのユーザが、コンテンツ資産または人物のプロファイルである人工物を特徴付ける題名、日付、作者、または任意のキーワードを知らない場合、ユーザがこの人に会ったコンテキスト（特に、貴方のコンテキスト、貴方の気分、物理的場所、その部屋の中の人物など）、またはこのコンテンツ資産が作成されたコンテキストが、それぞれのコンテンツ資産または人物のプロファイルを検索するため、または識別するために適用でき、使用できる（例えば、キーワードを介して）可能性がある。
【００１７】
このため、後の時点で、ユーザは、関連付けられたコンテキストデータに基づいて、要求される人工物を再び探し出すように、この捕捉されたコンテキストデータの中で検索することができ、あるいはユーザは、グループ全体に対して管理アクションを実行するように、関連付けられたコンテキストデータに基づいて、人工物のグループを識別することができる。
【００１８】
本発明の別の特徴的なフィーチャが、請求項２および９に記載される。
【００１９】
人工物に関連付けられた少なくとも１つのコンテキストに基づいて、その人工物がまず識別され、次に、リポジトリから、その人工物が格納された、この少なくとも１つのリポジトリに接続された管理サーバの制御下で取り出されることが可能である。
【００２０】
このため、前述したとおり、後の時点で、ユーザは、関連付けられたコンテキストデータに基づいて、要求される人工物を再び探し出すように、この捕捉されたコンテキストデータの中で検索することができ、あるいはユーザは、グループ全体に対して管理アクションを実行するように、関連付けられたコンテキストデータに基づいて、人工物のグループを識別することができる。
【００２１】
本発明のさらなる特徴的なフィーチャが、請求項３に記載される。
【００２２】
トリガは、例えば、人工物の作成、または既存の人工物（人物のプロファイル文書、ビデオ画像など）に対する任意のアクションの実行の指示である、管理サーバに向けられたクライアントデバイスからの管理要求である。
【００２３】
このため、トリガは、文書または人物のプロファイルのような人工物の作成時に生成される。さらに、トリガは、既存の人工物に対していくつかのアクションが実行される場合にも生成され、そのようなアクションは、更新すること、開くこと、タグを付けること、削除すること（すなわち、ゴミ箱に移動すること）、名前変更すること、共有すること、ダウンロードすることなどであり得る。管理要求は、（１）アップロード機構、または他の機構を介する作成によって管理システムの範囲に人工物を追加すること、または（２）既存の人工物に対して実行される任意のアクションの実行であることが可能であり、そのようなアクションは、更新すること、開くこと、タグを付けること、削除すること（すなわち、ゴミ箱に移動すること）、名前変更すること、共有すること、ダウンロードすることなどであり得る。
【００２４】
本発明の別の特徴付ける実施形態は、コンテキストイベントが、コンテキストスナップショットをとり、さらにそのスナップショットを、その所与のコンテキストイベントと関係する人工物に関連付けるよう管理システムをトリガするように適用される、または使用されることが可能であることである。例えば、個人Ｂのプロファイルが、個人Ａによって使用される管理システムにおいて人工物として格納されながら、または参照されながら、個人Ａが個人Ｂに会った場合、この人工物には、ＡとＢが互いにいつ、どこで会ったかというコンテキスト情報が関連付けられる。
【００２５】
管理要求を行うユーザのコンテキスト情報の例は、以下のとおりである：日付、現在の場所（会議室のアドレスおよび名前を含むことが可能である）、ユーザが居る部屋の中の人物の数、ユーザが参加している会議の出席予定者リスト、ユーザの付近の人物、電話、インスタントメッセージングチャネルなどの通信チャネルを介してユーザがつながっている人物、現在の地域的気象条件、現在の地域的、個人的、または一般に重要な生活もしくはニュースの出来事、ユーザが実際に聴いているラジオチャネルで放送されている実際の曲、ユーザの実際の感情および／または感覚（疲れている、汗をかいている、喉が渇いている、空腹である、笑っているなど）。
【００２６】
コンテキストスナップショットは、センサベースの測定によって、または関係のあるコンテキスト情報を管理する、生成する、または格納する他のシステムから取り出されたデータによって獲得されることが可能である。
【００２７】
人物のプロファイルの場合、人工物のコンテキストは、そのプロファイルの個人に適用された前述の例のいずれかであることが可能である。写真コンテンツ、オーディオコンテンツ、またはビデオコンテンツの場合、人工物のコンテキストは、その所与のコンテンツ上で表される実際の物理的オブジェクトのコンテキストであることが可能である。例えば、顔認識方法および／または音声認識方法が、写真断片、ビデオ断片、またはオーディオ断片に基づいて個人を識別するのに使用され得る。同様の分析が、像などのオブジェクト（例えば、エッフェル塔）を認識するのに使用され得る。個人が識別されると、関連付けられたコンテキストが、前述したのと同様の仕方で照会されることが可能である。エッフェル塔などのオブジェクトの場合、関連するコンテキストには、とりわけ、以下が存在することが可能である：訪問者に対するステータス（開かれている／閉じられている）、塔を電飾する照明のステータス、訪問者の数など。
【００２８】
本主題のさらなる特徴付ける実施形態が、添付の特許請求の範囲に記載される。
【００２９】
特許請求の範囲において使用される「備える」という用語は、その後に挙げられる手段に限定されるものと解釈されるべきではないことに留意されたい。したがって、「手段Ａと、手段Ｂとを備えるデバイス」という表現の範囲は、構成要素ＡおよびＢだけから成るデバイスに限定されるべきではない。この表現は、本発明に関して、そのデバイスの関係のある構成要素が、ＡおよびＢだけであることを意味する。
【００３０】
同様に、特許請求の範囲においてやはり使用される「結合された」という用語は、直接の接続だけに限定されるものと解釈されるべきではないことに留意されたい。したがって、「デバイスＢに結合されたデバイスＡ」という表現の範囲は、デバイスＡの出力がデバイスＢの入力に直接に接続されたデバイスまたはシステムに限定されるべきではない。この表現は、Ａの出力とＢの入力の間に、他のデバイスまたは手段を含むパスであることが可能なパスが存在することを意味する。
【００３１】
添付の図面と併せて解釈される実施形態の後段の説明を参照することによって、本発明の以上、およびその他の目的および特徴が、より明白となり、さらに本発明自体が最もよく理解されるであろう。
【図面の簡単な説明】
【００３２】
【図１】本発明の人工物管理システムの機能図を表し、さらに本発明による人工物管理サーバＡＭＳ、コンテキスト捕捉デバイスＣＣＤ、人工物リポジトリＡ−ＲＥＰ、およびコンテキストリポジトリＣ−ＲＥＰの機能構造を表す。
【発明を実施するための形態】
【００３３】
以下の段落で、図面を参照して、本発明による人工物管理サーバＡＭＳと、人工物リポジトリＡ−ＲＥＰと、コンテキスト捕捉デバイスＣＣＤと、コンテキストリポジトリＣ−Ｒｅｐとを含む人工物管理システムの実施形態が説明される。
【００３４】
この説明の第１の段落で、図１に提示される人工物管理システムの主要な要素が説明される。第２の段落で、前述した要素、および説明される手段の間のすべての接続が、定義される。その後、例えば、ＰＣ、モバイルデバイス、ＴＶ、またはメディアプレーヤのような任意のパーソナルコンピュータデバイス上で実行されているブラウザアプリケーションであるクライアントデバイスＣＤのすべての関係のある機能手段が、説明され、その後に、すべての相互接続の説明が行われる。
【００３５】
本発明による人工物管理システムの第１の不可欠な要素は、少なくとも１つの人工物リポジトリＡ−Ｒｅｐの中に保持される人工物を管理することができる人工物管理サーバＡＭＳである。人工物管理サーバＡＭＳは、少なくとも１つの人工物リポジトリＡ−ＲＥＰの中に格納された人工物を管理する、すなわち、格納する、変更する、または取り出すことができる。
【００３６】
この人工物管理サーバＡＭＳは、１つまたは複数の人工物リポジトリＡ−Ｒｅｐにわたって人工物を管理することができ、ただし、ＹｏｕＴｕｂｅ、Ｐｉｃａｓａ、および／またはＦｌｉｃｋｒのようなウェブアプリケーションがそれぞれ、可能な別々のリポジトリの例である。
【００３７】
さらに、個人のコンテキスト、または或る人工物に属する任意のコンテキストを捕捉することができる少なくとも１つの捕捉デバイスＣＣＤが存在する。
【００３８】
ＡＭＳは、各人工物および各ユーザを一意に識別することができる。ＡＭＳは、ＣＣＤが、人工物および個人に関してＡＭＳの場合と同一の一意識別子を知らない、または使用しない可能性があるので、人工物と関係する任意の属性、ユーザ、または現在時刻を、ＣＣＤがコンテキストを捕捉する入力パラメータとして使用することができる。例えば、ＡＭＳは、人物のプロファイルからの電話番号、電子メールアドレス、またはセンサＩＤを使用して、それらを、コンテキストを捕捉する入力パラメータとしてＣＣＤに送ることが可能である。ＣＣＤは、ＡＭＳからの入力パラメータを直接に使用して、またはその入力パラメータを、その入力パラメータによって識別された管理されるプロファイルに基づいて、別のパラメータにマップして、センサに基づいて、または外部サーバからコンテキストを最終的に取り出すことが可能である。例：電話番号が、ＳＩＭカードと関係していることが可能であり、さらに場所を追跡するのに使用されることが可能であり、このため、近隣における熱センサの温度を照会するのに、または所与の場所の測候所に照会するのに使用されることが可能である。
【００３９】
第３に、コンテキスト捕捉デバイスＣＣＤによって捕捉された少なくとも１つのコンテキストの、少なくとも１つのリポジトリの中に保持される人工物に対する関連付け、またはコンテキスト捕捉デバイスＣＣＤによって捕捉された少なくとも１つのコンテキストの、複数のリポジトリのいずれかの中に保持される人工物に対するリファレンスに対する関連付けを含む、単一のコンテキストリポジトリＣ−ＲＥＰ、または複数の分散型コンテキストリポジトリＣ−Ｒｅｐ（１つだけが図に示される）が存在する。
【００４０】
最後に、例えば、ＰＣ、モバイルデバイス、ＴＶ、またはメディアプレーヤのようなコンピュータデバイス上で実行されているブラウザアプリケーションであるクライアントデバイスＣＤが存在することが可能である。このクライアントデバイスＣＤは、トリガによって、すなわち、人工物管理システムＡＭＳを介して、格納された人工物のそれぞれを事実上、管理するために人工物管理サーバＡＭＳに管理要求を送信することによって、人工物リポジトリ上に格納された人工物の管理を制御することができる。この場合、クライアントデバイスＣＤは、例えば、この実施形態において、Ｆｌｉｃｋｒのようなウェブサービス上に格納されたファイルを管理するためのインターネットブラウザを有するパーソナルコンピュータであるものと仮定する。
【００４１】
クライアントデバイスＣＤは、モバイルインターネットアクセスネットワーク、または固定インターネットアクセスネットワークのような無線接続または有線接続を介して、人工物管理サーバＡＭＳに結合されることが可能である。
【００４２】
捕捉デバイスＣＣＤは、ローカルエリアネットワーク、インターネット、または任意の形態のＩＰネットワークを介して管理サーバＡＭＳに結合されることが可能である。コンテキストリポジトリＣ−Ｒｅｐおよび人工物時ポートＡ−Ｒｅｐのそれぞれは、ローカルエリアネットワーク、インターネット、または任意の形態のＩＰネットワークを介して人工物管理サーバＡＭＳに結合されることが可能である。
【００４３】
人工物管理サーバＡＭＳは、コンテキスト捕捉デバイスＣＣＤによって捕捉された少なくとも１つのコンテキストの、少なくとも１つのリポジトリの中に保持される人工物に対する関連付けを生成することができるコンテキスト関連付け部ＣＡＰを含む。
【００４４】
コンテキスト関連付け部ＣＡＰは、生成された関連付けをコンテキストリポジトリＣ−Ｒｅｐの中に格納するようにさらに構成される。
【００４５】
さらに、コンテキスト関連付け部ＣＡＰは、コンテキスト捕捉デバイスＣＣＤによって捕捉された少なくとも１つのコンテキストの、少なくとも１つのリポジトリの中に保持される人工物に対する関連付けにおける少なくとも１つのコンテキストのコンテキストに基づいて、少なくとも１つの人工物リポジトリＡ−Ｒｅｐによって保持される人工物を取り出すようにさらに構成される。
【００４６】
さらに、人工物管理サーバＡＭＳは、人工物管理サーバＡＭＳにおいてトリガが受信されると、管理要求を送信するユーザの少なくとも１つのコンテキスト、および／または少なくとも１つのリポジトリの中に保持される人工物の少なくとも１つのコンテキストを捕捉するようコンテキスト捕捉デバイスＣＣＤに命令することができるコンテキスト捕捉命令部ＣＣＩＰを含む。さらに、人工物管理サーバＡＭＳは、ユーザ、および／または少なくとも１つのリポジトリの中に保持される或る人工物の少なくとも１つのコンテキストを捕捉するよう捕捉デバイスに指示するためのトリガを受信するように構成されたトリガ受信部ＴＲＰを含む。この実施形態におけるトリガは、任意の人工物（コンテンツ資産）管理アクション時のブラウジングデバイスからの管理要求であるものと想定される。
【００４７】
人工物管理サーバにおけるコンテキスト取出し部ＣＲＰは、コンテキスト捕捉デバイスＣＣＤによって収集された少なくとも１つのコンテキストを取り出すことができる。
【００４８】
コンテキスト捕捉デバイスＣＣＤはまず、人工物管理サーバからコンテキスト捕捉命令を受信することができる命令受信部ＩＲＰを備え、人工物管理サーバＡＭＳにおいてトリガ、すなわち、管理要求が受信されると、ユーザの少なくとも１つのコンテキスト、および／または少なくとも１つの人工物リポジトリＡ−ＲＥＰの中に保持される人工物のコンテキストを捕捉するように構成されたコンテキスト捕捉部ＣＣＰをさらに備える。コンテキスト捕捉デバイスＣＣＤは、或るユーザおよび／または人工物に対応する収集されたコンテキストを転送するように構成されたコンテキスト転送部ＣＦＰをさらに備える。
【００４９】
人工物管理サーバＡＭＳは、同時に、トリガ受信部ＴＲＰの入出力端子でもある入出力端子を有する。顧客デバイスＣＤは、人工物管理サーバＡＭＳの、この入出力端子に結合された入出力端子を有する。
【００５０】
トリガ受信部ＴＲＰは、同時に、人工物管理サーバＡＭＳの出力端子でもある出力端子をさらに有するコンテキスト捕捉命令部ＣＣＩＰにさらに結合される。
【００５１】
コンテキスト取出し部ＣＲＰは、同時に、人工物管理サーバＡＭＳの入出力端子でもある入出力端子を有する。コンテキスト取出し部ＣＰＲは、同時に、人工物管理サーバＡＭＳの入出力端子でもある入出力端子をさらに有するコンテキスト関連付け部ＣＡＰにさらに結合される。
【００５２】
命令受信部ＩＲＰは、同時に、コンテキスト捕捉デバイスＣＣＤの入出力端子でもある入出力端子を有する。命令受信部ＩＲＰは、コンテキスト捕捉部ＣＣＰにさらに結合され、コンテキスト捕捉部ＣＣＰは、コンテキスト転送部ＣＦＰに結合される。コンテキスト捕捉デバイスＣＣＤは、同時に、コンテキスト捕捉デバイスの入力端子でもある入力端子を有することが可能であり、さらに／または、代替として、内部センサデバイスに結合されることが可能である。
【００５３】
コンテキスト転送部ＣＦＰは、同時に、出力が人工物管理サーバＡＭＳの入力に結合されるコンテキスト捕捉デバイスＣＣＤの出力端子でもある出力端子を有する。
【００５４】
本発明の動作を説明するために、或るユーザが、ユーザのクライアントデバイスＣＤからユーザのデジタルコンテンツを管理する、例えば、ユーザが、ユーザのデバイス（パーソナルコンピュータ、ｉＰｈｏｎｅなど）にインストールされた、またはインターネットブラウザを介してアクセスされるアプリケーション（例えば、ｊＵｐｌｏａｄｅｒまたはＦｌｉｃｋｒ  ＡｌｂｕｍＭａｋｅｒなどのＦｌｉｃｋｒアプリケーション）を使用して、人工物リポジトリＡ−ＲＥＰ上に格納されたユーザのデータ、例えば、Ｆｌｉｃｋｒサービス上のユーザの個人的写真リポジトリを管理するものと仮定する。ユーザは、人工物リポジトリＡ−ＲＥＰの中に保持されるユーザの画像コレクションからの、またはユーザの画像コレクションに対する画像のような或るコンテンツ資産を取り出すこと、開くこと、または追加することなどを行う。作成すること、更新すること、開くこと、タグを付けることなどのアクションが、ユーザおよび／または画像自体の現在のコンテキストのスナップショットをとるプロセスをトリガすることが可能なアクションの例である。画像のような人工物を開くこと、取り出すことなどの、このアクションは、人工物管理サーバに対するトリガと考えられ、人工物管理サーバのトリガ受信部ＴＲＰによってインターセプトされ、トリガ受信部ＴＲＰは、そのトリガ命令をコンテキスト捕捉命令部ＣＣＩＰに転送し、コンテキスト捕捉命令部ＣＣＩＰは、その人工物管理サーバＡＭＳにおいてトリガが受信されると、受信されたトリガ命令に応答して、ユーザおよび／または人工物、すなわち、この実施形態では、少なくとも１つの人工物リポジトリの中に保持される或る画像の少なくとも１つのコンテキストを捕捉する命令をコンテキスト捕捉デバイスＣＣＤの命令受信部ＩＲＰに送信する。コンテキスト捕捉部ＣＣＰは、複数のセンサを含み、または複数のセンサに結合され、各センサは、それぞれ、ユーザの位置、ユーザの血圧、現在の気象条件、それぞれ、温度を感知するための結合されたセンサ、および結合された電話通信システムを介して感知される室温、およびユーザが現在、通話している相手であることが可能なコンテキストＣ１、Ｃ２、．．．Ｃ５のような或るコンテキストを特定することができる。
【００５５】
次に、コンテキスト捕捉デバイスＣＣＰが、その人工物管理サーバＡＭＳにおいてトリガが受信されると、少なくとも１つのリポジトリの中に保持される意図される人工物のコンテキストを捕捉する。感知されるコンテキスト、すなわち、ユーザの位置、ユーザの血圧、現在の気象条件、温度を感知するための結合されたセンサ、および結合された電話通信システムを介して感知される室温、およびユーザが現在、通話している相手のすべては、コンテキスト転送部ＣＦＰによって、コンテキスト捕捉部ＣＣＰから、人工物管理サーバＡＭＳのコンテキスト受信部ＣＲＰに送信される。
【００５６】
人工物管理サーバＡＭＳのコンテキスト関連付け部ＣＡＰは、その後、Ｆｌｉｃｋｒにおいて保持される画像に関する新たな関連付けを生成し、この新たな関連付けは、それぞれのコンテキストＣ１、Ｃ２、Ｃ３、Ｃ４、およびＣ５である、そのコンテキスト捕捉デバイスによって捕捉された少なくとも１つのコンテキストと、この実施形態では、したがって、Ｆｌｉｃｋｒにおいて保持される画像である、少なくとも１つのリポジトリの中に保持される人工物に対するリファレンスとを含む。
【００５７】
その後、この新たに作成された関連付けが、Ｆｌｉｃｋｅｒのメタデータデータベースであることが可能な、コンテキストリポジトリＣ−ＲＥＰの中のコンテキスト関連付け部ＣＡＰの制御下で格納される。
【００５８】
代替として、人工物に関する既存の関連付けは、既存の人工物（例えば、画像）においてトリガアクションが実行されると生じることが可能な、新たに特定されたコンテキストで更新されることも可能である。このようにして、人工物の既存の関連付けは強化される。
【００５９】
この例は、ＦｌｉｃｋｒまたはＹｏｕＴｕｂｅのような人工物リポジトリの中に格納された画像写真に関して説明されるものの、同一の教示が、音楽、ストリーミングされるコンテンツ、電子メール、テキスト文書、またはインターネット上の任意のアドレス指定可能なオブジェクト、あるいは人物のプロファイルのようなコンテンツ資産に関してさえ有効である。
【００６０】
後の時点でユーザが或る画像、ビデオなどを検索しており、題名、または画像が撮影された場所もしくは時間を思い出すことができない。しかし、ユーザは、その画像が、夏の暖かい日に、ユーザがユーザの友人と通話している間に撮影され、Ｆｌｉｃｋｒにアップロードされたことを思い出すこと、または知ることができる。このコンテキストに基づいて、ユーザは、これらのコンテキスト項目を「鍵」として適用することによって、意図される画像を、その画像がどこに格納されたかを知ることなしに再び探し出すことができる。
【００６１】
また、ユーザは、関連付けられたコンテキストに基づいて、人工物のグループ、例えば、「場所は、オフィス座標であることが可能である」というコンテキストに関連付けられたすべての人工物を指定し、さらにこの定義されたグループをファイル管理構成のために、例えば、オフィスバックアップサーバ上にこれらのファイルのバックアップレプリカを保持する構成のために使用することが可能である。
【００６２】
代替として、人工物は、人物のプロファイルであることも可能である。実際、このことは、デジタル文書と比べて違いがなく、ただし、所定の場所で人と会う、または人と通信する時点で、捕捉されたコンテキストをプロファイルに関連付けることで、その考えを拡張することが可能である。例えば、電子メールを送信する、またはインスタントメッセージを交換する個人に対してコンテキストを捕捉し、関連付け、このことが、電子メールサーバによってトリガされることが可能である。例えば、握手する際、その個人に対してコンテキストを捕捉し、関連付け、この事例は、その個人を識別しなければならないので、より困難である。この身元が、その個人がポケットの中に有するモバイルデバイスの一意ＩＤに基づいて、その後、検知され、捕捉されることが可能である。握手することは、文字どおりに解釈されなくてもよく、自分のモバイルデバイスと相手のモバイルデバイスの間の距離が、トリガをもたらすことも可能である。支援ＧＰＳが、これらの距離測定のために使用されることが可能である。代替のソリューションは、これらの距離算出のためにＲＦＩｄを使用することである。この場合のトリガは、これら２名の個人の間の距離を算出するシステムの何らかの信号であることが可能である。
【００６３】
コンテキストデータを格納するシステムは、好ましくは、任意のデジタルデータリポジトリの中に格納された任意のデジタルオブジェクトを参照することができるシステムである。このコンテキストメタデータは、ユーザの個人的（プライベート）コンテキストを含むので、ユーザは、このコンテキストメタデータをプライベートに保つことができなければならない。このシステムは、メタデータのタイプを区別することができ、すなわち、位置情報を、気象条件、近隣の人物、個人的感情などから区別することができる。このため、このシステムは、エンドユーザが思い出すことができるコンテキストを非常に正確に指定することを可能にして、完全なコンテキストを再現し、したがって、そのコンテキストが関連付けられているすべての人工物を再現することができるようにする。
【００６４】
この実施形態では、対応する図においてコンテキストリポジトリＣ−ＲＥＰが説明され、提示されるものの、このコンテキストリポジトリは、代替として、複数の分散型リポジトリによって実施されてもよい。
【００６５】
最後の注釈は、本発明の実施形態が、機能ブロックの点で前段で説明されていることである。前段で与えられる、これらのブロックの機能的な説明から、電子デバイスを設計する当業者には、これらのブロックの実施形態が、よく知られた電子構成要素を使用してどのように製造され得るかは、明白であろう。したがって、機能ブロックのコンテンツの詳細なアーキテクチャは、与えられない。
【００６６】
本発明の原理は、特定の装置に関連して前段で説明されてきたが、この説明は、単に例として行われているに過ぎず、添付の特許請求の範囲において規定される本発明の範囲の限定として行われているのではないことを明確に理解されたい。
【図１】
0005503010.tif 000002